(57)【要約】【課題】コンテンツ表示要求に対する適切な割り込み制御を実現する。【解決手段】ネットワークを介して受信したコンテンツに関する情報を取得する情報取得手段と、前記コンテンツのうち、第１のコンテンツを表示中に、第２のコンテンツを受信した場合に、前記情報取得手段により得られた前記第１のコンテンツに関する情報を用いて、前記第２のコンテンツを表示するか判断する判断手段と、前記判断手段により得られた判断結果に応じて、前記第２のコンテンツを表示する表示手段とを有することにより上記課題を解決する。【選択図】図４
2014219486.tif 000002
【特許請求の範囲】
【請求項１】
ネットワークを介して受信したコンテンツに関する情報を取得する情報取得手段と、
前記コンテンツのうち、第１のコンテンツを表示中に、第２のコンテンツを受信した場合に、前記情報取得手段により得られた前記第１のコンテンツに関する情報を用いて、前記第２のコンテンツを表示するか判断する判断手段と、
前記判断手段により得られた判断結果に応じて、前記第２のコンテンツを表示する表示手段とを有することを特徴とする表示装置。
【請求項２】
前記情報取得手段は、
前記コンテンツに関する情報として、前記コンテンツの種類を取得し、
前記判断手段は、
前記情報取得手段により得られた前記第１のコンテンツの種類が動画である場合に、前記第２のコンテンツの表示を禁止し、前記コンテンツの種類が静止画である場合に、前記第２のコンテンツの表示を許可することを特徴とする請求項１に記載の表示装置。
【請求項３】
前記判断手段は、
前記コンテンツの種類に対して設定されたユーザの設定値に応じて、前記第２のコンテンツの表示を許可することを特徴とする請求項２に記載の表示装置。
【請求項４】
前記判断手段は、
前記第１のコンテンツを表示中のユーザに対して、前記第２のコンテンツを表示するか問い合わせ、前記問い合わせ結果に応じて、前記第２のコンテンツの表示を許可することを特徴とする請求項３に記載の表示装置。
【請求項５】
前記判断手段は、
前記第１のコンテンツを表示中の画面に、前記問い合わせを行う画面を表示させることを特徴とする請求項４に記載の表示装置。
【請求項６】
前記判断手段は、
前記第１のコンテンツの種類が動画の場合には、前記問い合わせを行う画面を表示させる際に、前記第１のコンテンツを一時停止させることを特徴とする請求項５に記載の表示装置。
【請求項７】
前記判断手段は、
前記問い合わせを行うか、予め設定された設定内容に応じて判断することを特徴とする請求項４乃至６のいずれか一項に記載の表示装置。
【請求項８】
コンテンツを表示する表示装置と、前記コンテンツを保持するコンテンツサーバとがネットワークを介して接続された表示システムであって、
前記表示装置は、
前記ネットワークを介して受信したコンテンツに関する情報を取得する情報取得手段と、
前記コンテンツのうち、第１のコンテンツを表示中に、第２のコンテンツを受信した場合に、前記情報取得手段により得られた前記第１のコンテンツに関する情報に基づき、前記第２のコンテンツを表示するか判断する判断手段と、
前記判断手段により得られた判断結果に応じて、前記第２のコンテンツを表示する表示手段とを有することを特徴とする表示システム。
【請求項９】
コンピュータを、
請求項１乃至７のいずれか一項に記載の表示装置が有する各手段として機能させるための表示プログラム。
【発明の詳細な説明】
【技術分野】
【０００１】
本願は、表示装置、表示システム、及び表示プログラムに関する。
【背景技術】
【０００２】
例えば、複数の無線端末と無線ネットワークを介して接続されるネットワークプロジェクタにおいて、ネットワークプロジェクタへの接続要求を最初に受信した無線端末からのデータにより映像表示する方法が知られている（例えば、特許文献１参照）。
【発明の概要】
【発明が解決しようとする課題】
【０００３】
しかしながら、上述した特許文献１の方法では、ネットワークプロジェクタへの接続要求を最初に受信した端末を、映像表示するデータ送信元の端末として固定してしまう。したがって、その映像表示中に他の端末からネットワークプロジェクタへの接続要求があったとしても、その端末からの割り込みを許可するか判断することができなかった。
【０００４】
１つの側面では、本発明は、コンテンツ表示要求に対する適切な割り込み制御を実現することを目的とする。
【課題を解決するための手段】
【０００５】
一態様において、ネットワークを介して受信したコンテンツに関する情報を取得する情報取得手段と、前記コンテンツのうち、第１のコンテンツを表示中に、第２のコンテンツを受信した場合に、前記情報取得手段により得られた前記第１のコンテンツに関する情報を用いて、前記第２のコンテンツを表示するか判断する判断手段と、前記判断手段により得られた判断結果に応じて、前記第２のコンテンツを表示する表示手段とを有することを特徴とする。
【発明の効果】
【０００６】
コンテンツ表示要求に対する適切な割り込み制御を実現することが可能となる。
【図面の簡単な説明】
【０００７】
【図１】本実施形態に係る表示システムの概略構成の一例を示す図である。
【図２】投影処理シーケンスの一例を示す図である。
【図３】専用ユーティリティを用いた割り込み指定方法の一例を示す図である。
【図４】本実施形態に係るプロジェクタの機能構成の一例を示す図である。
【図５】本実施形態に係るプロジェクタのハードウェア構成の一例を示す図である。
【図６】割込判断テーブルの一例を示す図である。
【図７】割込禁止処理シーケンスの一例を示す図である。
【図８】割込禁止処理における投影要求管理テーブルの一例を示す図である。
【図９】割込許可処理シーケンスの一例を示す図である。
【図１０】割込許可処理における投影要求管理テーブルの一例を示す図である。
【図１１】割込判断テーブルの他の例を示す図である。
【図１２】ユーザ設定テーブルの一例を示す図である。
【図１３】ユーザ設定に対応した割込許可処理シーケンスの一例を示す図である。
【図１４】ユーザ設定に対応した割込禁止処理シーケンスの一例を示す図である。
【図１５】利用状況に対応した割込処理シーケンスの一例を示す図である。
【図１６】問い合わせメッセージの画面の一例を示す図である。
【図１７】ユーザの再確認設定に対応した割込処理シーケンスの一例を示す図である。
【図１８】ユーザの再確認設定テーブルの一例を示す図である。
【発明を実施するための形態】
【０００８】
以下、開示の技術に係る実施の形態について詳細に説明する。
【０００９】
＜表示システム：概略構成＞
図１は、本実施形態に係る表示システムの概略構成の一例を示す図である。図１に示す表示システム１は、表示装置の一例としてのプロジェクタ１０と、タブレットＰＣ（Ｐｅｒｓｏｎａｌ  Ｃｏｍｐｕｔｅｒ）１１と、ノートＰＣ１２と、コンテンツサーバ１３とを有するように構成される。プロジェクタ１０と、タブレットＰＣ１１と、ノートＰＣ１２と、コンテンツサーバ１３とは、ネットワークＮを介して接続され、それぞれ通信可能となっている。なお、図１に示す各装置の数は、これには限定されない。
【００１０】
プロジェクタ１０は、例えばＵＰｎＰ（Ｕｎｉｖｅｒｓａｌ  Ｐｌｕｇ  ａｎｄ  Ｐｌａｙ）に準拠するネットワーク入力による投影機能や、ＰＣの画像（画面）をスクリーン上に投影して表示するための専用ユーティリティを介したネットワーク入力による投影機能等を有している。プロジェクタ１０の本体には、例えば図１に示すプロジェクタ１０の「メニュー」、「フォーカス」、「電源のオン／オフ」等を操作するための操作手段１０ａを有している。
【００１１】
なお、本実施形態における表示装置は、プロジェクタ１０に限定されず、例えばディスプレイや、タッチパネル等の画面に、画像、映像、文字等のコンテンツを表示することが可能な装置全般を含む。したがって、本実施形態における投影とは、単に所定のスクリーン上にコンテンツを投影させる意味には限定されず、必要に応じて表示の概念が含まれる。
【００１２】
タブレットＰＣ１１は、例えば、上述したＵＰｎＰを用いた投影機能を実現するための汎用的なＤＭＣ（Ｄｉｇｉｔａｌ  Ｍｅｄｉａ  Ｃｏｎｔｒｏｌｌｅｒ）ソフトウェア等がインストールされている。タブレットＰＣ１１は、例えばコンテンツサーバ１３から投影したいコンテンツを選択すると、選択したコンテンツの投影をプロジェクタ１０に指示する。
【００１３】
ノートＰＣ１２は、例えば、上述したプロジェクタ１０にＰＣの画像を投影するための専用ユーティリティ等がインストールされ、専用ユーティリティを介してプロジェクタ１０にコンテンツの投影を指示する。
【００１４】
コンテンツサーバ１３は、例えばＵＰｎＰを用いた投影機能におけるＤＭＳ（Ｄｉｇｉｔａｌ  Ｍｅｄｉａ  Ｓｅｖｅｒ）の機能を有し、プロジェクタ１０に投影するコンテンツを保存し、保存しているコンテンツを提供する。
【００１５】
なお、表示システム１は、複数のコンテンツサーバ１３を有していても良い。この場合には、タブレットＰＣ１１−１〜１１−２は、同一のコンテンツサーバ１３を指定することなく、複数のコンテンツサーバ１３のうち、投影したいコンテンツを有するコンテンツサーバ１３からコンテンツを選択しても良い。
【００１６】
ここで、プロジェクタ１０は、第１のコンテンツを投影中に、タブレットＰＣ１１又はノートＰＣ１２から第２のコンテンツの投影要求を受けた場合、第１のコンテンツに関する情報等に基づき、第２のコンテンツを投影するか（割り込みを許可するか）判断する。
【００１７】
これにより、プロジェクタ１０は、コンテンツ表示要求に対する適切な割り込み制御を実現し、プロジェクタ１０を使用するユーザの利便性を良くすることが可能となる。以下、具体的に説明する。
【００１８】
＜投影処理シーケンス＞
図２は、投影処理シーケンスの一例を示す図である。図２（Ａ）は、ＵＰｎＰを用いた投影処理の流れを示している。図２（Ｂ）は、専用ユーティリティを用いたＰＣ画像投影処理の流れを示している。
【００１９】
図２（Ａ）の例では、タブレットＰＣ１１が、例えばＤＭＣソフトウェア等を実行させ、コンテンツサーバ１３から投影したいコンテンツを選択し、プロジェクタ１０に対し、選択したコンテンツの位置を指定し（Ｓ１０）、コンテンツの投影開始を要求する（Ｓ１１）。プロジェクタ１０は、タブレットＰＣ１１により指定されたコンテンツの位置に基づき、コンテンツサーバ１３にコンテンツ取得要求を行い（Ｓ１２）、コンテンツサーバ１３からコンテンツを取得すると（Ｓ１３）、コンテンツの投影を開始する（Ｓ１４）。
【００２０】
上述したように、ＵＰｎＰを用いた投影処理では、プロジェクタ１０がコンテンツサーバ１３から取得したコンテンツを投影する。なお、ＵＰｎＰプロトコルでは、コンテンツ位置指定（ＳｅｔＡＶＴｒａｎｓｐｏｒｔＵＲＩ（Ｒｅｑｕｅｓｔ）：再生ビデオＵＲＬセット要求）と、投影開始（Ｐｌａｙ（Ｒｅｑｕｅｓｔ）：再生要求）とは別のメッセージとなる。
【００２１】
図２（Ｂ）の例では、ノートＰＣ１２が、上述した専用ユーティリティを介して、ノートＰＣ１２内のコンテンツを選択し、選択したコンテンツをプロジェクタ１０に送付して、コンテンツの投影開始を要求する（Ｓ２０）。プロジェクタ１０は、ノートＰＣ１２から送付されたコンテンツの投影を開始する（Ｓ２１）。
【００２２】
なお、上述した専用ユーティリティを用いた投影処理では、Ｓ２０の投影開始要求時に、コンテンツ投影中における他のコンテンツの投影割り込み許可又は禁止を指示することが可能である。
【００２３】
上述したように、プロジェクタ１０は、ネットワークを経由して複数のコンテンツ投影開始要求を受け付けることが可能であるが、例えば投影画面が１つの場合には、１つの要求元からの投影要求を実行することになり、他の投影要求を排他することが求められる。
【００２４】
本実施形態におけるプロジェクタ１０は、以下に示すように、複数のコンテンツ投影開始要求に対して、投影中の投影要求を優先（割り込み禁止）するか又は最新の投影要求を優先（割り込み許可）するか状況に応じて判断する。
【００２５】
＜割り込み指定方法の一例＞
図３は、専用ユーティリティを用いた割り込み指定方法の一例を示す図である。例えば図１に示すノートＰＣ１２は、専用ユーティリティを用いることで、コンテンツ投影開始要求時に、予めユーザから他のコンテンツの割り込み許可又は禁止の指定を受け付けることが可能である。
【００２６】
すなわち、図３の太枠２０に示すように、ノートＰＣ１２が、ネットワーク接続に関する詳細設定インタフェースにおいて「自動送信中の割り込みを禁止する」をチェックさせる項目を表示する。ユーザは、この項目にチェックを入力することで、コンテンツの投影中における他のコンテンツの割り込み禁止を指定することが可能となる。また、ユーザは、この項目のチェックを外すことで、コンテンツの投影中における他のコンテンツの割り込み許可を指定することが可能となる。
【００２７】
なお、タブレットＰＣ１１により実行されるＵＰｎＰ投影機能では、図３に示す他のコンテンツの割り込みを許可又は禁止するインタフェースが用意されていないため、プロジェクタ１０に対して他のコンテンツの割り込みの許可又は禁止を指定できない。そこで、例えば、後述する手法を用いて他のコンテンツの割り込みの許可又は禁止を判断する。
【００２８】
＜プロジェクタ：機能構成＞
図４は、本実施形態に係るプロジェクタの機能構成の一例を示す図である。図４に示すように、プロジェクタ１０は、ネットワーク通信手段３１と、情報取得手段の一例としての投影要求管理手段３２と、判断手段の一例としての割込判断手段３３と、表示手段の一例としての投影手段３４と、ユーザ入力手段３５と、記憶手段３６とを有するように構成される。記憶手段３６は、割込判断テーブル３７と、ユーザ設定テーブル３８とを有するように構成される。
【００２９】
ネットワーク通信手段３１は、ネットワークＮに接続された外部機器との通信を行う。ネットワーク通信手段３１は、例えば、タブレットＰＣ１１やノートＰＣ１２から得られるコンテンツ投影開始要求を受け付ける。コンテンツサーバ１３に対するコンテンツ取得要求は、ネットワーク通信手段３１を介して行われる。
【００３０】
投影要求管理手段３２は、ネットワーク通信手段３１を介して受け付けたコンテンツ投影開始要求を管理する。投影要求管理手段３２は、ネットワーク通信手段３１を介してコンテンツに関する情報を取得する。投影要求管理手段３２は、コンテンツに関する情報（コンテンツ情報）として、例えばコンテンツが動画か静止画かを示すコンテンツの種類等を取得する。投影要求管理手段３２は、割込判断手段３３の判断結果に応じて、タブレットＰＣ１１やノートＰＣ１２からのコンテンツ投影開始要求を実行させる。
【００３１】
割込判断手段３３は、第１のコンテンツを投影中に、第２のコンテンツ投影開始要求を受け付けた場合、投影要求管理手段３２が取得した第１のコンテンツに関する情報を用いて、第２のコンテンツの割り込みを実行するか否か判断する。割込判断手段３３は、例えば、第１のコンテンツの種類が動画である場合に、第２のコンテンツの投影の割り込みを禁止し、第１のコンテンツの種類が静止画である場合に、第２のコンテンツの投影の割り込みを許可する。
【００３２】
例えば、第１のコンテンツの種類が静止画である場合、ユーザが停止操作を行わない限り投影し続けるため、割り込みを許可したとしても意図しない排他とならず、第２のコンテンツが無期限に投影を待ち続けることがなくなる。一方、第１のコンテンツの種類が動画である場合、ユーザが停止操作を行わない場合でも、最後まで投影することで終了するため、割り込みを許可しなくても、第２のコンテンツが無期限に待ち続けることがない。
【００３３】
そこで、割込判断手段３３は、例えば記憶手段３６の割込判断テーブル３７に記憶された第１のコンテンツの種類を参照することで、割り込みを実行するか否か判断する。なお、割込判断手段３３は、割込判断テーブル３７の第１のコンテンツの種類に対して設定されたユーザの設定値（現在値）に応じて、第２のコンテンツの投影の割り込みを判断しても良い。これにより、ユーザが静止画であっても割り込みを禁止したい場合や、動画であっても割り込みを許可したい場合等、ユーザの利用形態に応じて設定することが可能となる。割込判断テーブル３７については後述する。
【００３４】
なお、割込判断手段３３は、第１のコンテンツを投影中の画面に、第２のコンテンツを投影するか問い合わせを行う画面を投影し、ユーザからの問い合わせ結果に応じて、第２のコンテンツの投影の割り込みを判断しても良い。
【００３５】
これにより、ユーザ設定による固定値だけでなく、ユーザのプロジェクタ１０の利用状況に応じて、ユーザ自身が割り込みの許可や禁止を最終的に決定することが可能となり、割り込みのタイミングを制御することが可能となる。また、割り込みの許可や禁止の問い合わせを行う画面を投影することにより、その投影画面を見ている人（例えば、会議参加者全員）で合意して割り込みを許可するか決定することが可能となる。
【００３６】
なお、割込判断手段３３は、ユーザに問い合わせを行うか、例えば予め装置ごとに設定された設定内容に応じて判断しても良い。また、割込判断手段３３は、第１のコンテンツの種類が動画の場合には、問い合わせを行う画面を投影する際に、投影中の第１のコンテンツを一時停止させるよう制御することが可能である。
【００３７】
これにより、動画を投影中に問い合わせを行う画面が表示されて、ユーザが割り込みの禁止を選択した場合における選択するまでに再生された動画の見逃しを防止することが可能となる。
【００３８】
投影手段３４は、投影要求管理手段３２の投影要求に応じて、コンテンツを投影する。ユーザ入力手段３５は、記憶手段３６のユーザ設定テーブル３８に記憶されているユーザ設定に対する変更を入力したり、コンテンツ投影時におけるプロジェクタ１０の操作手段１０ａの操作結果を入力したりする。
【００３９】
なお、ユーザ設定テーブル３８に記憶されているユーザ設定に対する変更は、ネットワーク通信手段３１を介してユーザ設定管理アプリケーションにより変更を反映しても良い。
【００４０】
＜プロジェクタ：ハードウェア構成＞
図５は、本実施形態に係るプロジェクタのハードウェア構成の一例を示す図である。図５に示すように、プロジェクタ１０は、入力装置４１と、表示装置４２と、ＲＡＭ（Ｒａｎｄｏｍ  Ａｃｃｅｓｓ  Ｍｅｍｏｒｙ）４３と、ＲＯＭ（Ｒｅａｄ  Ｏｎｌｙ  Ｍｅｍｏｒｙ）４４と、ＨＤＤ（Ｈａｒｄ  Ｄｉｓｋ  Ｄｒｉｖｅ）４５と、ＣＰＵ（Ｃｅｎｔｒａｌ  Ｐｒｏｃｅｓｓｉｎｇ  Ｕｎｉｔ）４６と、インタフェース装置４７と、ドライブ装置４８等を備え、それぞれがバスＢで相互に接続されている。
【００４１】
入力装置４１は、例えばタッチパネル等を含み、プロジェクタ１０に各操作信号を入力するのに用いられる。表示装置４２は、例えばディスプレイ等を含み、プロジェクタ１０の処理結果を表示する。
【００４２】
ＲＡＭ４３は、プログラムやデータを一時保持する揮発性の半導体メモリ（記憶装置）である。ＲＯＭ４４は、電源を切っても内部データを保持することができる不揮発性の半導体メモリ（記憶装置）である。ＲＯＭ４４には、プロジェクタ１０の起動時に実行されるＢＩＯＳ（Ｂａｓｉｃ  Ｉｎｐｕｔ／Ｏｕｔｐｕｔ  Ｓｙｓｔｅｍ）、システム設定、及びネットワーク設定等のプログラムやデータが格納されている。
【００４３】
ＨＤＤ４５は、プログラムやデータを格納している不揮発性の記憶装置である。格納されるプログラムやデータには、プロジェクタ１０を制御するシステム（例えば「Ｗｉｎｄｏｗｓ（登録商標）」や「ＵＮＩＸ（登録商標）」等の基本ソフトウェアであるＯＳ（Ｏｐｅｒａｔｉｎｇ  Ｓｙｓｔｅｍ））、及びシステム上において各種機能を提供するアプリケーション等がある。また、ＨＤＤ４５は、格納しているプログラムやデータを、所定のファイルシステム及び／又はＤＢ（Ｄａｔａ  Ｂａｓｅ）により管理している。
【００４４】
ＣＰＵ４６は、上記記憶装置（例えば「ＨＤＤ」や「ＲＯＭ」等）から、プログラムやデータをＲＡＭ４３上に読み出し、処理を実行することで、装置全体の制御や搭載機能を実現する。
【００４５】
インタフェース装置４７は、プロジェクタ１０を有線又は無線ネットワーク等の伝送路に接続するインタフェースである。プロジェクタ１０は、インタフェース装置４７を介して、他の外部装置とデータ通信を行うことが可能となる。
【００４６】
ドライブ装置４８は、着脱可能な記録媒体４８ａとのインタフェースである。プロジェクタ１０は、ドライブ装置４８を介して、記録媒体４８ａの読み取りや書き込みを行う。記録媒体４８ａには、例えば、ＳＤメモリカード（ＳＤ  Ｍｅｍｏｒｙ  Ｃａｒｄ）やＵＳＢ（Ｕｎｉｖｅｒｓａｌ  Ｓｅｒｉａｌ  Ｂｕｓ）メモリ等がある。
【００４７】
なお、プロジェクタ１０は、上述したハードウェア構成の他、スクリーン等に画像データを投影する投影器をバスＢに接続した構成すると良い。プロジェクタ１０は、上述したハードウェア構成により、各種処理を提供することが可能となる。
【００４８】
＜割込判断テーブル＞
図６は、割込判断テーブルの一例を示す図である。割込判断手段３３は、コンテンツを投影中に、他のコンテンツ投影開始要求を受け付けた場合、例えば図６に示す割込判断テーブル３７を参照して、他のコンテンツの割り込みを実行するか判断する。
【００４９】
図６に示す割込判断テーブル３７は、例えばプロジェクタ１０において「先に実行している投影機能」が「ＰＣ画像投影機能」か「ＵＰｎＰ投影機能」かによって区別されている。更に、割込判断テーブル３７は、プロジェクタ１０において「後に実行する投影機能」が「ＰＣ画像投影機能」か「ＵＰｎＰ投影機能」かによって区別されている。
【００５０】
例えば、「ＰＣ画像投影機能」は、上述した図３に示すインタフェースを介して、コンテンツ投影開始要求時にコンテンツ情報として、予め他のコンテンツの割り込み許可又は禁止を設定可能である。そこで、割込判断テーブル３７では、先にＰＣ画像投影機能により実行されているコンテンツに、予め他のコンテンツの割り込み許可が設定されている場合、後からＰＣ画像投影機能又はＵＰｎＰ投影機能により実行されるコンテンツが割り込み「ＯＫ」となるように構成する。
【００５１】
また、先にＰＣ画像投影機能により実行されているコンテンツに、予め割り込み禁止が設定されている場合には、後からＰＣ画像投影機能又はＵＰｎＰ投影機能により実行されるコンテンツが割り込み「ＮＧ（禁止）」となるように構成する。
【００５２】
一方、先にＵＰｎＰ投影機能により実行されるコンテンツには、上述したようにタブレットＰＣ１１等のインタフェースを介して、コンテンツ投影開始要求時に予め他のコンテンツの割り込み許可又は禁止を設定することができない。そこで、割込判断テーブル３７では、ＵＰｎＰ投影機能で先に実行されるコンテンツの種類（静止画、動画等）により、後から実行されるコンテンツの割り込みの許可又は禁止を設定する。
【００５３】
なお、コンテンツの種類は、例えばコンテンツ情報としてタブレットＰＣ１１によりコンテンツ投影開始要求時に上述したコンテンツ位置指定（ＳｅｔＡＶＴｒａｎｓｐｏｒｔＵＲＩ（Ｒｅｑｕｅｓｔ）：再生ビデオＵＲＬセット要求）等により得られるコンテンツのメタデータに含まれる。
【００５４】
割込判断テーブル３７は、先にＵＰｎＰ投影機能により実行されているコンテンツが「静止画」の場合には、後からＰＣ画像投影機能又はＵＰｎＰ投影機能により実行されるコンテンツに対して割り込み「ＯＫ」となるように構成する。また、先にＵＰｎＰ投影機能により実行されているコンテンツが「動画」の場合には、後からＰＣ画像投影機能又はＵＰｎＰ投影機能により実行されるコンテンツに対して割り込み「ＮＧ」となるように構成する。
【００５５】
上述のように構成した割込判断テーブル３７を参照することで、割込判断手段３３は、コンテンツ投影中に、他のコンテンツ投影開始要求があった場合に、他のコンテンツの投影を開始するか判断することが可能となる。
【００５６】
以下の例では、先にＵＰｎＰ投影機能により実行しているコンテンツの種類が「動画」で、後からＵＰｎＰ投影機能により他のコンテンツ投影開始要求があった場合を第１のケースとして説明する。また、先にＵＰｎＰ投影機能により実行しているコンテンツの種類が「静止画」で、後からＵＰｎＰ投影機能により他のコンテンツ投影開始要求があった場合を第２のケースとして説明する。
【００５７】
なお、後からＰＣ画像投影機能によりコンテンツ投影開始要求があった場合も、ＵＰｎＰ投影機能によりコンテンツ投影開始要求があった場合と同様の処理となるため、ここでの説明は省略する。
【００５８】
＜割込禁止処理シーケンス＞
図７は、割込禁止処理シーケンスの一例を示す図である。図８は、割込禁止処理における投影要求管理テーブルの一例を示す図である。図７及び図８の例は、例えば「ＵＰｎＰ投影機能」により「動画」を投影中のため、他のコンテンツ投影開始要求を受け付けた場合に、その割り込みを禁止する第１のケースを示している。
【００５９】
図７に示すように、例えばプロジェクタ１０のネットワーク通信手段３１は、タブレットＰＣ１１−１からコンテンツ位置の指定指示を取得すると（Ｓ３０）、投影要求管理手段３２に投影準備を要求する（Ｓ３１）。ここで、投影要求管理手段３２は、例えば図８（Ａ）に示すように、上述したＳ３０の処理においてタブレットＰＣ１１−１から得られるコンテンツ情報に基づき、投影要求管理テーブルに登録要求を登録する。投影要求管理テーブルには、例えば、「要求ＩＤ＝１」、「要求元＝タブレットＰＣ１１−１」、「投影機能＝ＵＰｎＰ投影機能」、「実行状態＝未実行」、「コンテンツ情報：コンテンツ種類＝動画、コンテンツ位置＝コンテンツサーバ１３」等を登録する。
【００６０】
次に、ネットワーク通信手段３１は、タブレットＰＣ１１−１から投影開始要求を取得すると（Ｓ３２）、投影要求管理手段３２に投影を要求する（Ｓ３３）。
【００６１】
投影要求管理手段３２は、投影要求管理テーブルには現在実行中の投影要求がないため、例えば図８（Ｂ）に示すように、投影要求管理テーブルの「要求ＩＤ＝１」の「実行状態」を「実行中」に変更する。また、投影要求管理手段３２は、タブレットＰＣ１１−１から取得したコンテンツ位置に基づき、コンテンツサーバ１３にコンテンツの取得を要求する（Ｓ３４）。
【００６２】
投影要求管理手段３２は、コンテンツサーバ１３から要求したコンテンツを取得すると（Ｓ３５）、投影手段３４に投影開始を要求する（Ｓ３６）。投影手段３４は、投影要求管理手段３２からの要求に応じて投影を開始する（Ｓ３７）。
【００６３】
次に、ネットワーク通信手段３１は、タブレットＰＣ１１−２からコンテンツ位置の指定指示を取得すると（Ｓ３８）、投影要求管理手段３２に投影準備を要求する（Ｓ３９）。ここで、投影要求管理手段３２は、例えば図８（Ｃ）に示すように、上述したＳ３８の処理においてタブレットＰＣ１１−１から得られるコンテンツ情報に基づき、投影要求管理テーブルに登録要求を登録する。投影要求管理テーブルには、例えば、「要求ＩＤ＝２」、「要求元＝タブレットＰＣ１１−２」、「投影機能＝ＵＰｎＰ投影機能」、「実行状態＝未実行」、「コンテンツ情報：コンテンツ種類＝×××画、コンテンツ位置＝コンテンツサーバ１３」等として投影要求を登録する。
【００６４】
次に、ネットワーク通信手段３１は、タブレットＰＣ１１−２から投影開始要求を取得すると（Ｓ４０）、投影要求管理手段３２に投影を要求する（Ｓ４１）。ここで、投影要求管理手段３２は、投影要求管理テーブルを参照して、現在実行中の投影要求があるか判断する。投影要求管理手段３２は、図８（Ｃ）に示す投影要求管理テーブルの「要求ＩＤ＝１」に「実行状態＝実行中」の投影要求があると判断すると、割込判断手段３３に、現在実行中の投影要求のコンテンツ情報を通知し、他のコンテンツの割り込み判断を依頼する（Ｓ４２）。投影要求管理手段３２は、現在実行中の投影要求のコンテンツ情報として、例えば「要求ＩＤ＝１」の情報（ＵＰｎＰ投影機能、コンテンツの種類＝動画等）を通知する。
【００６５】
割込判断手段３３は、記憶手段３６の割込判断テーブル３７を参照する（Ｓ４３）。割込判断手段３３は、現在実行中の投影要求「要求ＩＤ＝１」の情報を用いて、タブレットＰＣ１１−２からの他のコンテンツの投影開始要求に対して「割り込みＮＧ」と判断すると、投影要求管理手段３２に判断結果「割り込みＮＧ」を通知する（Ｓ４４）。
【００６６】
投影要求管理手段３２は、割込判断手段３３の判断結果「割り込みＮＧ」に基づき、例えば図８（Ｄ）に示すように、投影要求管理テーブルの投影要求「要求ＩＤ＝２」の投影要求を削除する。また、投影要求管理手段３２は、ネットワーク通信手段３１に「投影エラー」として終了したことを通知する（Ｓ４５）。ネットワーク通信手段３１は、タブレットＰＣ１１−２に、「投影エラー」として終了したことを通知する（Ｓ４６）。
【００６７】
＜割込許可処理シーケンス＞
図９は、割込許可処理シーケンスの一例を示す図である。図１０は、割込許可処理における投影要求管理テーブルの一例を示す図である。図９及び図１０の例は、例えば「ＵＰｎＰ投影機能」により「静止画」を投影中に、他のコンテンツ投影開始要求を受け付けた場合に、その割り込みを許可する第２のケースを示している。
【００６８】
図９に示すＳ５０〜Ｓ６１の処理は、上述した図７に示すＳ３０〜Ｓ４１の処理と同様であるため、ここでの具体的な説明を省略する。なお、Ｓ５１の処理では、図１０（Ａ）に示すように、投影要求管理テーブルに、「要求ＩＤ＝１」、「要求元＝タブレットＰＣ１１−１」、「投影機能＝ＵＰｎＰ投影機能」、「実行状態＝未実行」、「コンテンツ情報：コンテンツ種類＝静止画、コンテンツ位置＝コンテンツサーバ１３」等が登録される。
【００６９】
Ｓ６１の処理では、ネットワーク通信手段３１が、タブレットＰＣ１１−２からの投影開始要求を取得して投影要求管理手段３２に投影を要求する。ここで、投影要求管理手段３２は、投影要求管理テーブルを参照して、例えば図１０（Ｂ）に示すように、現在実行中の投影要求があると判断すると、割込判断手段３３に、現在実行中の投影要求のコンテンツ情報を通知し、他のコンテンツの割り込み判断を依頼する（Ｓ６２）。投影要求管理手段３２は、現在実行中の投影要求のコンテンツ情報として、例えば「要求ＩＤ＝１」の情報（ＵＰｎＰ投影機能、コンテンツの種類＝静止画等）を通知する。
【００７０】
割込判断手段３３は、記憶手段３６の割込判断テーブル３７を参照する（Ｓ６３）。割込判断手段３３は、現在実行中の投影要求「要求ＩＤ＝１」の情報を用いて、タブレットＰＣ１１−２からの他のコンテンツの投影開始要求に対して「割り込みＯＫ」と判断すると、投影要求管理手段３２に判断結果「割り込みＯＫ」を通知する（Ｓ６４）。
【００７１】
投影要求管理手段３２は、割込判断手段３３の判断結果「割り込みＯＫ」に基づき、実行中の投影を中止するため、投影手段３４に対して投影終了を要求する（Ｓ６５）。投影手段３４は、投影を終了すると（Ｓ６６）、投影要求管理手段３２に投影終了を通知する（Ｓ６７）。
【００７２】
投影要求管理手段３２は、例えば図１０（Ｃ）、図１０（Ｄ）に示すように、投影要求管理テーブルに登録した投影要求「要求ＩＤ＝２」の「実行状態」を未実行から実行中に変更する。投影要求管理手段３２は、タブレットＰＣ１１−２から取得したコンテンツ位置の指定指示に基づき、コンテンツサーバ１３にコンテンツの取得を要求する（Ｓ６８）。
【００７３】
投影要求管理手段３２は、コンテンツサーバ１３から要求したコンテンツを取得すると（Ｓ６９）、投影手段３４に投影開始を要求する（Ｓ７０）。投影手段３４は、投影要求管理手段３２からの要求に応じて、投影要求「要求ＩＤ＝２」の投影を開始する（Ｓ７１）。
【００７４】
投影要求管理手段３２は、タブレットＰＣ１１−２の投影要求「要求ＩＤ＝２」の割り込みが成功すると、ネットワーク通信手段３１に、タブレットＰＣ１１−１の投影要求「要求ＩＤ＝１」の投影終了を通知する（Ｓ７２）。ネットワーク通信手段３１は、タブレットＰＣ１１−１に対して投影が終了したことを通知する（Ｓ７３）。
【００７５】
＜割込判断テーブルの他の例＞
図１１は、割込判断テーブルの他の例を示す図である。図１２は、ユーザ設定テーブルの一例を示す図である。図１１に示す割込判断テーブルは、上述した図６に示す割込判断テーブルと比較すると、「先に実行している投影機能」が「ＵＰｎＰ投影機能」である場合に、コンテンツの種類ごとにユーザにより他のコンテンツの割り込み許可又は禁止を設定している点で異なる。
【００７６】
これにより、コンテンツの種類が「静止画」であってもユーザによって割り込みを禁止することが可能となり、コンテンツの種類が「動画」であってもユーザによって割り込みを許可することが可能となり、ユーザの利用形態に応じた設定が可能となる。
【００７７】
例えば、図１１に示す割込判断テーブル３７の「先に実行している投影機能」の「ＵＰｎＰ投影機能」の項目には、割り込み「ＯＫ」又は割り込み「ＮＧ」とする設定値が保持されていない。図１１の例では、「ＵＰｎＰ投影機能」のコンテンツが「静止画」の場合に、ユーザ設定テーブル３８に保持されている「静止画」の「現在値（ユーザの設定値）」を参照するように設定されている。
【００７８】
同様に、「ＵＰｎＰ投影機能」のコンテンツが「動画」の場合には、ユーザ設定テーブル３８に保持されている「動画」の「現在値（ユーザの設定値）」を参照するように設定されている。なお、図１２に示すユーザ設定テーブル３８の「静止画」の「現在値」には割り込み「ＮＧ」と設定され、「動画」の「現在値」には割り込み「ＯＫ」と設定されている。
【００７９】
したがって、割込判断手段３３は、図１１に示す割込判断テーブル３７を参照した後、図１２に示すユーザ設定テーブル３８の「動画」又は「静止画」の「現在値」にしたがって他のコンテンツの割り込みを判断する。
【００８０】
例えば、図１２の例では、ユーザ設定テーブル３８は、「大項目」、「中項目」、「設定方式」、「取りうる値」、「デフォルト値」、「現在値」等の項目を有している。「大項目」の「ＵＰｎＰ投影割り込み」の項目では、「中項目」として「静止画」及び「動画」の項目を有している。「静止画」及び「動画」の項目では、「設定方式」として「選択式」が設定され、「取りうる値」として「ＯＫ」又は「ＮＧ」が選択可能となっている。
【００８１】
「静止画」の項目では、例えば「デフォルト値」は「ＯＫ」が設定され、「動画」の項目では、例えば「デフォルト値」は「ＮＧ」が設定されている。図１２の例では、「静止画」の項目において、ユーザ設定として「現在値」に「ＮＧ」が設定され、「動画」の項目において、「現在値」に「ＯＫ」が設定されている。
【００８２】
割込判断手段３３は、図１２の例では「動画」の項目において、「現在値」に「ＯＫ」と設定されているため、図６の例とは異なり、後から実行する投影機能が「ＰＣ画像投影機能」でも「ＵＰｎＰ投影機能」でも、他のコンテンツの割り込み「ＯＫ」と判断する。
【００８３】
上述のように、割込判断テーブルに対応させたユーザ設定テーブルを設けることで、ユーザの利用形態に応じてコンテンツの種類ごとにコンテンツの投影中の他のコンテンツの割り込みを許可するか設定し、他のコンテンツの割り込みを判断することが可能となる。
【００８４】
＜ユーザ設定に対応した割込処理＞
図１３は、ユーザ設定に対応した割込許可処理シーケンスの一例を示す図である。図１４は、ユーザ設定に対応した割込禁止処理シーケンスの一例を示す図である。図１３の例は、例えば「ＵＰｎＰ投影機能」により「動画」を投影中に、他のコンテンツ投影開始要求を受け付けた場合に、ユーザ設定テーブル３８を参照して、他のコンテンツの割り込みを許可する第３のケースを示している。
【００８５】
図１３に示すＳ８０〜Ｓ９１の処理は、上述した図７に示すＳ３０〜Ｓ４１の処理と同様であるため、ここでの具体的な説明は省略する。なお、Ｓ９１の処理では、ネットワーク通信手段３１が、タブレットＰＣ１１−２からの投影開始要求を取得して、投影要求管理手段３２に投影を要求する。
【００８６】
投影要求管理手段３２は、実行中の投影要求があるため、割込判断手段３３に対して、現在実行中の投影要求のコンテンツ情報（ＵＰｎＰ投影機能、コンテンツの種類＝動画等）を通知し、他のコンテンツの割り込み判断を依頼する（Ｓ９２）。
【００８７】
割込判断手段３３は、例えば、上述した図１１に示す記憶手段３６の割込判断テーブル３７を参照し（Ｓ９３）、現在実行中の投影要求のコンテンツ情報に対応して、例えば「動画」の「現在値」の情報を取得すると、ユーザ設定テーブル３８を参照する（Ｓ９４）。割込判断手段３３は、ユーザ設定テーブル３８を参照して、例えば「動画」の「現在値」が割り込み「ＯＫ」であると判断すると、投影要求管理手段３２に判断結果「割り込みＯＫ」を通知する（Ｓ９５）。
【００８８】
投影要求管理手段３２は、割込判断手段３３の判断結果「割り込みＯＫ」に基づき、実行中の投影を中止するため、投影手段３４に対して投影終了を要求する（Ｓ９６）。以下、図１３のＳ９７〜Ｓ１０４の処理は、図９のＳ６６〜Ｓ７３の処理と同様の処理であるため、ここでの説明は省略する。
【００８９】
図１４の例は、例えば「ＵＰｎＰ投影機能」により「静止画」を投影中に、他のコンテンツ投影開始要求を受け付けた場合に、ユーザ設定テーブル３８を参照して、他のコンテンツの割り込みを禁止する第４のケースを示している。
【００９０】
図１４に示すＳ１１０〜Ｓ１２１の処理は、上述した図７に示すＳ３０〜Ｓ４１の処理と同様であるため、ここでの具体的な説明は省略する。なお、Ｓ１２１の処理では、ネットワーク通信手段３１が、タブレットＰＣ１１−２からの投影開始要求を取得して、投影要求管理手段３２に投影を要求する。
【００９１】
投影管理手段３２は、実行中の投影要求があるため、割込判断手段３３に対して、現在実行中の投影要求のコンテンツ情報（ＵＰｎＰ投影機能、コンテンツの種類＝静止画等）を通知し、他のコンテンツの割り込み判断を依頼する（Ｓ１２２）。
【００９２】
割込判断手段３３は、例えば、上述した図１１に示す記憶手段３６の割込判断テーブル３７を参照し（Ｓ１２３）、現在実行中の投影要求のコンテンツ情報に対応して、例えば「静止画」の「現在値」の情報を取得すると、ユーザ設定テーブル３８を参照する（Ｓ１２４）。割込判断手段３３は、ユーザ設定テーブル３８を参照して、例えば「静止画」の「現在値」が割り込み「ＮＧ」であると判断すると、投影要求管理手段３２に判断結果「割り込みＮＧ」を通知する（Ｓ１２５）。
【００９３】
投影要求管理手段３２は、割込判断手段３３の判断結果「割り込みＮＧ」に基づき、ネットワーク通信手段３１に「投影エラー」として終了したことを通知する（Ｓ１２６）。ネットワーク通信手段３１は、タブレットＰＣ１１−２に、「投影エラー」として終了したことを通知する（Ｓ１２７）。
【００９４】
上述したように、コンテンツの種類ごとに設定されたユーザの利用形態に応じて、コンテンツ投影中における他のコンテンツの割り込みを許可するか判断することが可能となる。
【００９５】
＜利用状況に対応した割込処理＞
図１５は、利用状況に対応した割込処理シーケンスの一例を示す図である。図１５の例では、ユーザにより割り込み許可を設定しているコンテンツ投影中に、他のコンテンツ投影開始要求があった場合に、ユーザに対して問い合わせを行い、その問い合わせ結果に応じて、他のコンテンツの投影を開始するか判断する。
【００９６】
なお、図１５のＳ１３０〜Ｓ１４４の処理は、図１３のＳ８０〜Ｓ９４の処理と同様の処理であるため、ここでの具体的な説明は省略する。割込判断手段３３は、Ｓ１４４の処理でユーザ設定テーブル３８を参照して、例えば「動画」の「現在値」が割り込み「ＯＫ」であると判断すると、投影手段３４に対して投影中である動画のコンテンツを一次停止するよう要求する（Ｓ１４５）。次に、割込判断手段３３は、投影手段３４に対して割り込みの問い合わせメッセージを表示するよう要求する（Ｓ１４６）。
【００９７】
ここで、投影手段３４により表示された問い合わせメッセージに応じてユーザから割り込み許可（「割り込みＯＫ」）が得られた場合と、ユーザから割り込み禁止（「割り込みＮＧ」）指示が得られた場合とに分けて説明する。
【００９８】
割込判断手段３３は、ユーザ入力手段３５を介してユーザから「割り込みＯＫ」が得られると（Ｓ１５０）、投影要求管理手段３２に対して「割り込みＯＫ」を通知する（Ｓ１５１）。投影要求管理手段３２は、割込判断手段３３から得られた「割り込みＯＫ」に基づき、実行中の投影を中止するため、投影手段３４に対して投影終了を要求する（Ｓ１５２）。以下、図１５のＳ１５３〜Ｓ１６０の処理は、図９のＳ６６〜Ｓ７３の処理と同様の処理であるため、ここでの説明は省略する。
【００９９】
また、割込判断手段３３は、ユーザ入力手段３５を介してユーザから「割り込みＮＧ」が得られると（Ｓ１７０）、投影要求管理手段３２に対して「割り込みＮＧ」を通知する（Ｓ１７１）。割込判断手段３３は、投影手段３４に対して一次停止した動画のコンテンツを再開するよう要求する（Ｓ１７２）。
【０１００】
投影要求管理手段３２は、ネットワーク通信手段３１に、他のコンテンツ投影開始要求が「投影エラー」として終了したことを通知する（Ｓ１７３）。ネットワーク通信手段３１は、他のコンテンツ投影開始要求を行ったタブレットＰＣ１１−２に、「投影エラー」として終了したことを通知する（Ｓ１７４）。
【０１０１】
＜問い合わせメッセージの画面例＞
図１６は、問い合わせメッセージの画面の一例を示す図である。上述した図１５のＳ１４６の処理で、投影手段３４は、割込判断手段３３により割り込みの問い合わせメッセージを表示するように要求されると、図１６に示すように、一次停止した動画に重ねるように問い合わせメッセージ５０を投影させる。
【０１０２】
図１６に示す問い合わせメッセージ５０には、例えば「割り込み投影を要求されています。許可しますか？」等のメッセージが表示される。ここで、例えばユーザによりプロジェクタ１０の操作手段１０ａの左右キーで「はい（＝割り込みを許可する）」、「いいえ（＝割り込みを許可しない）」が選択され、決定キーが押下されることで「はい」又は「いいえ」の指示が入力される。
【０１０３】
上述したように、ユーザにより他のコンテンツの割り込み許可を設定しているコンテンツ投影中であっても、他のコンテンツ投影開始要求があった場合に、ユーザに対して割り込みの問い合わせを行うことが可能となる。これにより、ユーザ設定が固定ではなく、プロジェクタ１０の利用状況に応じて、ユーザ自身が割り込み許可又は禁止を最終決定することが可能となり、投影中における他のコンテンツの割り込むタイミングを制御することが可能となる。
【０１０４】
また、問い合わせメッセージ５０を投影していたコンテンツの画面に投影することで、画面を見ているユーザ（例えば、会議参加者全員）が合意して割り込み許可又は禁止を決定することが可能となる。更に、問い合わせメッセージ５０においてユーザが割り込み禁止を選択する場合、その選択を行うまでに再生された動画を見逃す可能性があるが、実行中の投影を一次停止して問い合わせを行うことにより、動画の見逃しを防止することが可能となる。
【０１０５】
＜ユーザの再確認設定に対応した割込処理＞
図１７は、ユーザの再確認設定に対応した割込処理シーケンスの一例を示す図である。図１８は、ユーザの再確認設定テーブルの一例を示す図である。図１７及び図１８の例では、上述した問い合わせメッセージを表示するかについて、予めユーザ設定テーブル３８に設定しておく。これにより、他のコンテンツの割り込みを禁止したい場合に、毎回問い合わせメッセージを表示することを防止することが可能となる。
【０１０６】
なお、図１７のＳ１８０〜Ｓ１９４の処理は、図１５のＳ１３０〜Ｓ１４４と同様の処理のため、ここでの具体的な説明は省略する。割込判断手段３３は、Ｓ１９４の処理でユーザ設定テーブル３８を参照して、例えば「ＵＰｎＰ投影割り込み」に対する「再確認」の項目における「現在値」を取得する（Ｓ１９５）。
【０１０７】
ここで、「再確認」の項目の「現在値」が「ＯＦＦ」になっていた場合と、「ＯＮ」になっていた場合とに分けて説明する。割込判断手段３３は、Ｓ１９５の処理で取得した「再確認」の項目の「現在値」が「ＯＦＦ」の場合には、ユーザに上述した問い合わせを行わず、ユーザ設定テーブル３８の「動画」又は「静止画」の「現在値」に応じて投影中の動画に対して割り込みを行うか判断する。
【０１０８】
図１７の例では、投影中のコンテンツが「動画」であり、ユーザ設定テーブル３８の「動画」の「現在値」が「割り込みＯＫ」となっているため、割込判断手段３３は、投影要求管理手段３２に対して「割り込みＯＫ」を通知する（Ｓ２００）。以下、図１７のＳ２０１〜２０９の処理は、図１５に示すＳ１５２〜Ｓ１６０の処理と同様の処理であるため、ここでの説明は省略する。
【０１０９】
割込判断手段３３は、Ｓ１９５の処理で取得した「再確認」の項目の「現在値」が「ＯＮ」の場合には、図１５のＳ１４６の処理と同様に、投影手段３４に対して割り込みの問い合わせメッセージを表示するよう要求する。割込判断手段３３は、ユーザからの問い合わせ結果で他のコンテンツの割り込みを最終的に判断し、図１５のＳ１５０〜Ｓ１７４の処理にしたがうと良い。
【０１１０】
図１８に示すユーザの再確認設定テーブルでは、「ＵＰｎＰ投影割り込み」の項目における「再確認」の項目に対応する「現在値」が「ＯＮ」と設定されている。したがって、割込判断手段３３は、図１５のＳ１４６の処理と同様に、投影手段３４に対して割り込みの問い合わせメッセージを表示するよう要求し、ユーザの問い合わせ結果に応じて割り込みを判断する。
【０１１１】
上述した実施形態によれば、コンテンツをスクリーン上に投影して表示する表示要求の他、ＰＣやタブレット端末等の情報機器のディスプレイ上でコンテンツを表示する表示要求等に対して適切な割り込み制御を実現することが可能となる。これにより、ユーザの利便性を向上させることが可能となる。なお、上述した実施形態で説明した表示装置と、コンテンツサーバとが接続されたシステム構成は一例であり、用途や目的に応じて様々なシステムが構成されても良い。
【０１１２】
以上、開示の技術の好ましい実施形態について詳述したが、開示の技術に係る特定の実施形態に限定されるものではなく、特許請求の範囲に記載された開示の技術の要旨の範囲内において、種々の変形、変更が可能である。
【符号の説明】
【０１１３】
１  表示システム
１０  プロジェクタ（表示装置の一例）
１１  タブレットＰＣ
１２  ノートＰＣ
１３  コンテンツサーバ
３１  ネットワーク通信手段
３２  投影要求管理手段（情報取得手段の一例）
３３  割込判断手段（判断手段の一例）
３４  投影手段（表示手段の一例）
３５  ユーザ入力手段
３６  記憶手段
３７  割込判断テーブル
３８  ユーザ設定テーブル
４１  入力装置
４２  表示装置
４３  ＲＡＭ
４４  ＲＯＭ
４５  ＨＤＤ
４６  ＣＰＵ
４７  インタフェース装置
４８  ドライブ装置
【先行技術文献】
【特許文献】
【０１１４】
【特許文献１】特許第４９６６５７７号公報
【図１】
2014219486.tif 000003
【図２】
2014219486.tif 000004
【図３】
2014219486.tif 000005
【図４】
2014219486.tif 000006
【図５】
2014219486.tif 000007
【図６】
2014219486.tif 000008
【図７】
2014219486.tif 000009
【図８】
2014219486.tif 000010
【図９】
2014219486.tif 000011
【図１０】
2014219486.tif 000012
【図１１】
2014219486.tif 000013
【図１２】
2014219486.tif 000014
【図１３】
2014219486.tif 000015
【図１４】
2014219486.tif 000016
【図１５】
2014219486.tif 000017
【図１７】
2014219486.tif 000018
【図１８】
2014219486.tif 000019
【図１６】
2014219486.tif 000020